(57)【要約】【課題】骨組をエアーチューブとすることで、軽量で扱い易く、折り畳みにも場所を取らないですみ、また、テント膜を展設するにも迅速かつ簡単に行うことができる建設工事用防音テントを提供する。【解決手段】エアー注入により組立可能なエアーチューブの骨組１の内方に、遮音（防音）シートのテント膜８を吊下げ展設した。また、遮音（防音）シートのテント膜８の内側下部に、遮熱シートをその上端を遮音（防音）シートに吊止して貼り巡した。【選択図】  図１
2012062694.tif 000002
【特許請求の範囲】
【請求項１】
エアー注入により組立可能なエアーチューブの骨組の内方に、遮音（防音）シートのテント膜を吊下げ展設したことを特徴とした建設工事用防音テント。
【請求項２】
遮音（防音）シートのテント膜の内側下部に、遮熱シートをその上端を遮音（防音）シートに吊止して貼り巡した請求項１記載の建設工事用防音テント。
【請求項３】
エアーチューブの骨組は、切り妻型屋根部を形成する棟木チューブ、垂木チューブ、梁チューブが連通一体形成され、この屋根部の四隅に４本の柱チューブ上端がそれぞれ連通し、柱チューブ下端には基礎梁チューブが連通する請求項１または請求項２記載の建設工事用防音テント。
【請求項４】
遮音（防音）シートのテント膜は、屋根膜と壁膜とからなり、屋根膜は棟頂部から傾斜させる請求項１ないし請求項３のいずれかに記載の建設工事用防音テント。
【請求項５】
遮音（防音）シートのテント膜は、吊下げ展設状態ではその壁膜の長さは壁膜下端が基礎梁チューブよりも外へでるようにした請求項３または請求項４記載の建設工事用防音テント。
【請求項６】
遮音（防音）シートのテント膜は、透光性を有する請求項３ないし請求項５のいずれかに記載の建設工事用防音テント。
【発明の詳細な説明】
【技術分野】
【０００１】
本発明は、建設工事の現場における騒音発生作業（例えば小規模なコンクリート解体作業）により発生する騒音の低減を図る、移動や設備・撤去が容易な防音設備としての建設工事用防音テントに関するものである。
【背景技術】
【０００２】
小規模なコンクリート解体作業の特徴としては、作業場所の移動が頻繁にある、コンクリートの斫りに用いられるブレーカーにより、騒音の発生と同時に飛石がある、鉄筋コンクリートの場合は、解体にともない鉄筋の溶断が必要であり、ガス溶断やアーク溶断作業時のスパッタや溶断ノロが飛散するなどの問題が挙げられる。
【０００３】
騒音防止や飛石対策としては、遮音（防音）シート等で、スパッタや溶断ノロの飛散対策としては防火シート等で囲むことが行われ、これらのシートは鋼製パイプ等の枠組みに貼られるテント形式が採用される。
【０００４】
しかし、組立・解体に手間がかかり、作業場所の移動に対応する機動性の面では難がある。
【０００５】
下記特許文献はいわゆる折り畳み式の作業用防音テントで、互いに整列する複数個のほぼ逆Ｕ字状のフレーム部材の側方部分を互いに順次Ｘバーリンクにより互いに連結した伸縮自在のフレーム構体と、伸展状態の前記フレーム構体の輪郭に沿ってフレーム構体の頂面、側面および端面をカバーする防音／防水カバーとを備えたものである。
【特許文献１】実開平２−５３４５３号公報
【０００６】
この特許文献１では、フレーム構体の伸縮方向の少なくとも一方の端面の防音／防水カバーを開閉自在にしている。また、前記フレーム構体にキャスター装置を設けて容易に移動できる構成とした。
【０００７】
また、防音・防水カバーは、吸音材シートを防炎シートで被覆した第１カバーと、このカバーとは別体の防水シートとしての第２カバーとを有するものとして構成し、前記第１カバーを前記フレーム構体の内側に取付け、前記第２カバーを前記フレーム構体の外側に配置する。フレーム構体の外側に配置する防音／防水カバーは、上面に防水シート、下面に防炎シート、上面と下面との間に吸音シートを一体にしたカバーである。
【０００８】
これは、不使用時には保存又は運搬のため、テントを解体、収縮し、また騒音を発生させる野外作業を行うときテントを伸展させ、テント内で作業を行いテント設置場所の工事が済んだ後にはフレーム構体に設けたキャスター装置により工事を行うべき隣接の作業位置に移動する。作業時には、フレーム構体に取り付けた防音／防水カバーがテント内部の騒音が外に漏れるのを防止し、また、降雨がテント内部に侵入するのを防止する。
【０００９】
なお、遮音（防音）を目的としたものではないが、エアーチューブの骨組みとそれを貼めぐらす膜材からなる簡易構造物としては、下記特許文献のごときものが提案されている。
【特許文献２】特開２００８−１９６２０６号公報
【特許文献３】特開平１１−２６４２６４号公報
【特許文献４】特開２００４−１３２００６号公報
【特許文献５】特開平１１−１５２９３９号公報
【００１０】
前記特許文献２は、少なくともその側面を膜材によって形成され、その内部と連通された気体注入口を備え、且つ空気を入れられた状態でその両端が下端となったアーチ状の柱となる気密な柱部材を複数備えているとともに、空気を入れられた複数の前記柱部材が略平行となるようにされてなるエアビーム構造物である。
【００１１】
前記特許文献３は、間隔を設けて相互に対向して立設された袋体でなる気室で形成されたアーチの複数本と袋体でなる気室で形成されてアーチ間に架設された横木の複数列でなる骨組みの外側に天幕を着脱自在に張着し、内側に内張りシートを着脱自在に張着し、骨組みの間にグランドシートを張り渡して形成した空気テントである。
【００１２】
特許文献４は、寒冷地や酷暑地等の悪条件下でも快適な居住環境を造り出すことが出来るようにするものとして、エアテントの断熱性を向上させるため、天幕上に、スペーサ部材と天蓋シートからなる断熱層形成材を被せることにより、天幕と天蓋シートの間に空気層を形成するようにしたものである。
【００１３】
特許文献５は、エアーチューブテントに関し、柱状気室からなる骨組み構造の脚部を、床シート上の設置位置に、簡単且つ確実に固定し得る構造を提供するもので、地面上に敷設する床シートの上に、膨張及び収縮可能な柱状気室を立設してテントの骨組み構造を構成し、該骨組み構造の表面を外皮にて覆って成るエアーチューブテントにおいて、前記床シートの外周に沿って、立ち上げ部を囲繞形成し、該床シート上に骨組み構造が具備する各脚部を載置し、これらの脚部を上記立ち上げ部により周囲から保持してなる。
【発明の開示】
【発明が解決しようとする課題】
【００１４】
前記特許文献１の作業用防音テントは、伸縮自在のフレーム構体とこれを覆う防音／防水カバーとからなり、保存又は運搬のため、テントを解体、収縮できるものであるが、フレーム構体はかなり重量があり、また、折り畳んだ状態でも嵩張る。移動するにはフレーム構体に設けたキャスター装置によらなければならない。
【００１５】
また、広げたフレーム構体に対して防音／防水カバーを覆うように設ける、もしくは取外すにも複数の人員を必要とし、時間と労力を必要とする。
【００１６】
前記エアーチューブテントは、特許文献５を除いて比較的大型の構造物であり、これを簡易構造物である建設工事用防音テントに適用するにはそぐわない。
【００１７】
また、特許文献２〜５のすべてが、テントの骨組みとしてのエアーチューブの外側に外皮としての膜材を一体的に被せるようにしたものであり、前記特許文献１と同じように、骨組みとしてのエアーチューブに対して外皮としての膜材を覆うように設ける、もしくは取外すにも複数の人員を必要とし、時間と労力を必要とする。
【００１８】
本発明の目的は前記不都合を解消し、骨組をエアーチューブとすることで、軽量で扱い易く、折り畳みにも場所を取らないですみ、また、テント膜を展設するにも迅速かつ簡単に行うことができ、例えば、鉄道営業線の夜間工事のように短時間しかできない作業に対しても非常に有効的である建設工事用防音テントを提供することにある。
【課題を解決するための手段】
【００１９】
請求項１記載の本発明は前記目的を達成するため、エアー注入により組立可能なエアーチューブの骨組の内方に、遮音（防音）シートのテント膜を吊下げ展設したことを要旨とするものである。
【００２０】
請求項１記載の本発明によれば、エアーチューブの骨組はエアーの注入により立上がり、その際、中に折り畳まれている遮音（防音）シートのテント膜も吊下げされた状態で展設され、手を掛けずに、迅速に設置することができる。また、遮音（防音）シートは吊支されただけのものであり、仮にこれが破損した場合でも簡単に交換することができる。そして、ブレーカーによるコンクリートの斫り作業は遮音（防音）シートの中で行われ、騒音も外部に漏らさないですむとともに、飛石があるとしても遮音（防音）シートで押さえられ、エアーチューブに当たることはなく、エアーチューブが破れるおそれもない。
【００２１】
請求項２記載の本発明は、遮音（防音）シートのテント膜の内側下部に、遮熱シートをその上端を遮音（防音）シートに吊止して貼り巡したことを要旨とするものである。
【００２２】
請求項２記載の本発明によれば、鉄筋コンクリートの場合は解体にともない鉄筋の溶断が必要であり、ガス溶断やアーク溶断作業時のスパッタや溶断ノロの飛散は、この遮熱シートで遮断される。スパッタや溶断ノロの飛散で、エアーチューブが破れるおそれもない。本発明の建設工事用防音テントは防音効果を最大に発揮するため、また、移動を容易にするためは、極力小型化する必要があり、そのために飛び石や前記スパッタや溶断ノロの影響を受けやすいが、特に影響を受け易い箇所として、下側にこの遮熱シートが設置される。しかも、遮熱シートは遮音（防音）シートに吊止して貼り巡らすことにより、遮音（防音）シートで支えられて設置でき、２重シート構造となり、飛び石に対しても遮音（防音）シートを保護する役割を発揮できる。収納時は遮熱シートと遮音（防音）シートは分離して畳むことができる。
【００２３】
請求項３記載の本発明は、エアーチューブの骨組は、切り妻型屋根部を形成する棟木チューブ、垂木チューブ、梁チューブが連通一体形成され、この屋根部の四隅に４本の柱チューブ上端がそれぞれ連通し、柱チューブ下端には基礎梁チューブが連通することを要旨とするものである。
【００２４】
請求項３記載の本発明によれば、エアーチューブの骨組を切り妻型屋根部を形成するものとすることにより、コンパクトながらも堅牢ものとなり、遮音（防音）シートのテント膜を吊下げ展設するにも、安定したものとなる。
【００２５】
請求項４記載の本発明は、遮音（防音）シートのテント膜は、屋根膜と壁膜とからなり、屋根膜は棟頂部から傾斜させることを要旨とするものである。
【００２６】
請求項４記載の本発明によれば、エアーチューブの骨組を切り妻型屋根部を形成するものとしたことに応じて、遮音（防音）シートのテント膜は、屋根膜を傾斜させることで、骨組内部に無駄なスペースを作ることもなく、吊下げ展設することができる。
【００２７】
請求項５記載の本発明は、遮音（防音）シートのテント膜は、吊下げ展設状態ではその壁膜の長さは壁膜下端が基礎梁チューブよりも外へでるようにしたことを要旨とするものである。
【００２８】
請求項５記載の本発明によれば、遮音シートのテント膜は、吊下げ展設状態ではその壁膜の長さは壁膜下端が基礎梁チューブよりも外へでるようにしたので、床面に不陸の凹凸があってもその上を充分覆うことができ、さらにその上を基礎梁チューブで押さえることで音の漏れを確実に防ぐことができる。
【００２９】
請求項６記載の本発明は、遮音（防音）シートのテント膜は、透光性を有することを要旨とするものである。
【００３０】
請求項６記載の本発明によれば、テント膜は、防音性能に優れるだけでなく、採光性があるので、昼間であれば照明がなくとも明るい空間で作業ができる。
【発明の効果】
【００３１】
以上述べたように本発明の建設工事用防音テントは、軽量で扱い易く、折り畳みにも場所を取らないですみ、また、テント膜を展設するにも迅速かつ簡単に行うことができるものである。
【発明を実施するための最良の形態】
【００３２】
以下、図面について本発明の実施の形態を詳細に説明する。図１は本発明の建設工事用防音テントの１実施形態を示す正面図、図２は同上側面図で、図中１は塩化ビニル（ＰＶＣ）を主材料として、エアー注入により組立可能な円柱形のエアーチューブを複数組み合わせた骨組であり、この骨組１は、切り妻型屋根部２と、この屋根部２の四隅に上端が連通し、屋根部２を支承する４本の柱チューブ６と、柱チューブ６の下端間に渡される基礎梁チューブ７とからなる。
【００３３】
そして、切り妻型屋根部２は、頂部に横たわる棟木チューブ３、棟木チューブ３の端から傾斜して下方に伸びる垂木チューブ４、垂木チューブ４間に掛け渡される梁チューブ５とからなる。
【００３４】
これら骨組１を形成するエアーチューブは、複数のものが相互に連通するが、そのうちの１つは、安全バルブ１４、充排気バルブ１５を備える。また、各エアーチューブは、本体ビームと内袋チューブの二重構造にして、内袋チューブが傷みにくく、空気漏れを防ぐように配慮する。また、内袋チューブを取り外せるため、現場での補修・交換を可能にする。
【００３５】
なお、図示は省略するが、前記エアーチューブは、手動ポンプまたは電動ポンプで送風して簡単に立ち上げることができるもので、立ち上げ後の送風は必要なく、すぐれた気密性により、形状を保つ。
【００３６】
図中１３はエアーチューブに設ける吊リングで、必要に応じて組み立て後のテントをクレーン等で所定位置に吊降りしたりするのに使用する。また、基礎梁チューブ７には組み立て後の移動に使用するのにロープによる取手１０を設けた。
【００３７】
エアーチューブを組み合わせた骨組１の内方に、遮音（防音）シートのテント膜８を吊輪１７により吊下げ展設した。この遮音（防音）シートのテント膜８は、屋根膜８ａと壁膜８ｂとからなり、屋根膜８ａは棟頂部８ｃから下方へ向け傾斜させる。遮音（防音）シートの主たる材質は、ポリエステル、塩化ビニル樹脂、ポリプロピレン、ポリエチレン等から選択でき、例えば、ポリエステル繊維で織った基布を塩化ビニル樹脂でサンドイッチした軟質遮音シートなどを使用することができる。（クラレ社製：商品名  サウンドシャッター  ＫＮー１１００採光）
【００３８】
このクラレ社製：商品名  サウンドシャッター  ＫＮー１１００採光による遮音（防音）シートのテント膜８の物性は下記表１の通りであるが、採光性にも優れる。
【表１】
2012062694.tif 000003
【００３９】
この他にも、前記遮音（防音）シートとしては、市販のものを使用することができ、例えば、紙、布、不織布、金属箔、樹脂シート等のシートと、金属粉、酸化鉛、酸化鉄、炭酸バリウム等の無機充填剤を充填した塩化ビニル系樹脂、ポリエチレン系樹脂、ポリプロピレン系樹脂等のフィルムとを貼着して得られるシートを用いることができる。
【００４０】
壁膜８ｂのうち、正面のものには、切り込みを設けてマジックテープ（登録商標）またはファスナー等の開閉手段により開閉する垂れ膜式の出入口９を形成した。
【００４１】
さらに、壁膜８ｂのうち、側面のものには、換気ダクト２０、排気ダクト２１を形成し、正面のもので、前記出入口９の脇などに配線用ダクト２３を形成した。換気ダクト２０、排気ダクト２１は膜材によるもので、これらにはジャバラフードによる送気管２３、排気管２４が接続し、送気管２３にはコンプレッサーを設けて、換気ダクト２０からテント内部に送風し、排気ダクト２１からテント外に排出する。配線用ダクト２２は対角線上に対に形成する。
【００４２】
換気ダクト２０と排気ダクト２１は相互に対向する壁膜８ｂに形成するが、換気ダクト２０の開口位置を排気ダクト２１の開口位置よりも高く設定することで、換気ダクト２０からテント内部への送風が上昇気流となることなく、スムーズに排気ダクト２１に流れるようにした。これにより、テント内で塵芥が舞い上がることを防止できる。
【００４３】
図示は省略するが、前記遮音（防音）シートのテント膜８は、吊下げ展設状態ではその壁膜の長さは壁膜下端が基礎梁チューブ７よりも外へでるようにし、基礎梁チューブ７の下を潜らせて、外側に端を伸ばす。
【００４４】
このようにすることで、床面に不陸の凹凸があってもその上を充分テント膜８が覆うことができ、さらにその上を基礎梁チューブで押さえることで音の漏れを確実に防ぐことができる。
【００４５】
図５に示すように、遮音（防音）シートのテント膜８の内側下部に、遮熱シート（スパッタシート）１８をその上端をカラビナ等の輪体による止め具１９で遮音（防音）シートに吊止して添設状態で貼り巡した。遮熱シート１８は、炭素繊維、シリカ繊維、ガラス繊維等を主材料とする。
【００４６】
次に、設置および撤去の作業手順について説明する。設置作業手順としては、まず、本発明の防音テント（以下テントという）を展張する場所を決める。これには、約４ｍ×４ｍのスペースが必要である。その際、テントを展張する場所に鋭利な物がないことを確認する（小石、鉄筋、工具など）。
【００４７】
テント保護のため、付属の床保護シート２５を広げる。電源コード、電動送風機、送風ホースを用意する。
【００４８】
テントを広げる。テントのバブルキャップを外す。送風ホースの先端アダプターをバルブに接続する。送風ホースを電動送風機の排気口側に接続する。電動送風機のスイッチを入れ、送風を開始する。
【００４９】
図３から図４は骨組１を形成するエアーチューブに空気が入る様子を示し、骨組１が折り畳まれている状態（図３）では、遮音（防音）シートのテント膜８も吊輪１７により骨組１に係止されているが、内側に折り畳まれている。
【００５０】
エアーチューブにある程度空気が入ったら、四隅を持って介助して立ち上げる。図４に示すようにテント上部を９０度回転させるようにして立ち上げる。
【００５１】
テントが立ち上がった後、５〜１０秒程度送風を続け、停止する。
【００５２】
送風ホースをバルブから外し、電動送風機のスイッチを止める。バルブのキャップを閉める。
【００５３】
収納作業手順としては、まず、隣に付属の床保護シートを広げる。テントの四隅に作業者を配置する。
【００５４】
出入口９のファスナーを開ける。バルブのキャップを外し、ボタンを押して排気する。
【００５５】
展張時と同様に、テント上部を９０度回転させながら上部ビーム（屋根部２）を下部ビーム（柱チューブ６、基礎梁チューブ７）の上に重ねる。
【００５６】
次に、電動送風機を用いて空気を排出し、真空状態にする。電源コード、電動送風機の「吸気口」側に接続する。
【００５７】
テントのバルブを開いた状態（バルブのボタンが押された状態）で送風ホースのアダプターをバルブに接続する。
【００５８】
電動送風機のスッチを入れ、空気を排出する。空気が十分に排気されたなら、テントのバルブから送風ホースを外し、バルブを素早く閉じ、キャップを閉める。電動送風機、送風ホースを収納する。
【００５９】
なお、本発明のテントは立設状態で、必要に応じて、ワイヤー等の牽引具１１で緊張してもよい。
【００６０】
また、出入口９に対応して、基礎梁チューブ７を切断し、そこをガラ出し用の開口としてもよい。
【００６１】
本発明の建設工事用防音テントは、種々の作業環境に合わせてその大きさを変えることができ、また、図示の形状に限定されず、エアー注入により組立可能なエアーチューブの骨組についても、様々な形態の採用が可能である。
【図面の簡単な説明】
【００６２】
【図１】本発明の建設工事用防音テントの１実施形態を示す正面図である。
【図２】本発明の建設工事用防音テントの１実施形態を示す側面図である。
【図３】本発明の建設工事用防音テントの組立状態を示す立設前の斜視図である。
【図４】本発明の建設工事用防音テントの組立状態を示す立設中の斜視図である。
【図５】本発明の建設工事用防音テントの内部を示す斜視図である。
【符号の説明】
【００６３】
１…骨組                          ２…屋根部
３…棟木チューブ                  ４…垂木チューブ
５…梁チューブ                    ６…柱チューブ
７…基礎梁チューブ                ８…テント膜
８ａ…屋根膜                      ８ｂ…壁膜
８ｃ…棟頂部                      ９…出入口
１０…取手                        １１…牽引具
１３…吊リング                    １４…安全バルブ
１５…充排気バルブ                １７…吊輪
１８…遮熱シート                  １９…止め具
２０…換気ダクト                  ２１…排気ダクト
２２…配線用ダクト                ２３…送気管
２４…排気管                      ２５…床保護シート
【図１】
2012062694.tif 000004
【図２】
2012062694.tif 000005
【図３】
2012062694.tif 000006
【図４】
2012062694.tif 000007
【図５】
2012062694.tif 000008